(57)【要約】【課題】トレーサビリティシステムを管理する管理者の管理コストや管理負担を増大させることなく、商品の履歴情報とともに付加的な情報を提供し、その付加的な情報を利用させる。【解決手段】商品に付されているトレーサビリティコードを提示したユーザ端末３０からの履歴情報の取得依頼に応じて商品の履歴情報を検索し、検索した履歴情報の検索結果に含まれる文字情報を検索キーワードとして決定し、決定した検索キーワードに関連する文字広告情報の検索依頼に応じて検索エンジンを用いて検索された文字広告情報を履歴情報の検索結果に貼り付けて提供し、提供した文字広告情報の情報量に応じて、文字広告の広告依頼者に対する文字広告料金の課金金額を算出し、提供した文字広告情報が選択されたことを示す広告選択通知の通知回数に応じて、算出された文字広告料金の課金金額について、ユーザが開設するサイトのサイト管理者等への配分を決定する。【選択図】図２
2007334840.tif 000002
【特許請求の範囲】
【請求項１】
サイトを開設しているユーザが使用するユーザ端末からの依頼に応じて商品の履歴情報を提供する商品情報提供システムであって、
商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索手段と、
検索した履歴情報の検索結果に含まれる文字情報を検索キーワードとして決定する検索キーワード決定手段と、
決定した検索キーワードに関連する文字広告情報の検索依頼を行う文字広告情報検索依頼手段と、
前記検索依頼に応じて文字広告情報を検索エンジンを用いて検索する文字広告情報検索手段と、
検索した文字広告情報を送信する文字広告情報送信手段と、
送信された文字広告情報を受信する文字広告情報受信手段と、
受信した文字広告情報を前記履歴情報の検索結果に貼り付けて前記ユーザ端末に対して提供する履歴情報提供手段と、
提供した文字広告情報の情報量に応じて、文字広告の広告依頼者に対する文字広告料金の課金金額を算出する広告課金金額算出手段と、
提供した文字広告情報が選択されたことを示す広告選択通知の通知回数に応じて、前記広告課金金額算出手段によって算出された前記文字広告料金の課金金額について、前記サイトのサイト管理者、前記商品履歴情報提供者及び前記広告情報の情報管理者の配分を決定する料金配分決定手段とを備えた
ことを特徴とする商品情報提供システム。
【請求項２】
検索した文字広告情報を蓄積する文字広告情報蓄積手段と、
消費者端末からの前記サイトを閲覧することを示す閲覧通知に応じて、文字広告情報蓄積手段によって蓄積された文字広告情報を前記サイトのウェブページに貼り付けて前記消費者端末に提供する広告情報提供手段とをさらに備えた
ことを特徴とする請求項１記載の商品情報提供システム。
【請求項３】
前記広告情報提供手段は、前記サイトのウェブページに貼り付けられる前記文字広告情報の貼付順序を所定の条件に基づき変更することを特徴とする請求項２記載の商品情報提供システム。
【請求項４】
算出された課金金額に応じて、前記ユーザ端末に対する前記アプリケーションソフトウェアの使用料金の課金金額を算出するアプリケーションソフトウェア課金金額算出手段をさらに備えた
ことを特徴とする請求項１〜３のいずれか１項記載の商品情報提供システム。
【請求項５】
サイトを開設しているユーザが使用するユーザ端末からの依頼に応じて商品の履歴情報を提供する商品情報提供サーバであって、
商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索手段と、
検索した履歴情報の検索結果に含まれる文字情報を検索キーワードとして決定する検索キーワード決定手段と、
決定した検索キーワードに関連する文字広告情報の検索依頼を行う文字広告情報検索依頼手段と、
前記検索依頼に応じて検索エンジンを用いて検索された文字広告情報を受信する文字広告情報受信手段と、
受信した文字広告情報を前記履歴情報の検索結果に貼り付けて前記ユーザ端末に対して提供する履歴情報提供手段と、
提供した文字広告情報の情報量に応じて、文字広告の広告依頼者に対する文字広告料金の課金金額を算出する広告課金金額算出手段と、
提供した文字広告情報が選択されたことを示す広告選択通知の通知回数に応じて、前記広告課金金額算出手段によって算出された前記文字広告料金の課金金額について、前記サイトのサイト管理者、前記商品履歴情報提供者及び前記広告情報の情報管理者の配分を決定する料金配分決定手段とを備えた
ことを特徴とする商品情報提供サーバ。
【請求項６】
算出された課金金額に応じて、前記ユーザ端末に対する前記アプリケーションソフトウェアの使用料金の課金金額を算出するアプリケーションソフトウェア課金金額算出手段をさらに備えた
ことを特徴とする請求項５記載の商品情報提供サーバ。
【請求項７】
サイトを開設しているユーザが使用するユーザ端末からの依頼に応じて商品の履歴情報を提供する商品情報提供方法であって、
商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索ステップと、
検索した履歴情報の検索結果に含まれる文字情報を検索キーワードとして決定する検索キーワード決定ステップと、
決定した検索キーワードに関連する文字広告情報の検索依頼を行う文字広告情報検索依頼ステップと、
前記検索依頼に応じて文字広告情報を検索エンジンを用いて検索する文字広告情報検索ステップと、
検索した文字広告情報を送信する文字広告情報送信ステップと、
送信された文字広告情報を受信する文字広告情報受信ステップと、
受信した文字広告情報を前記履歴情報の検索結果に貼り付けて前記ユーザ端末に対して提供する履歴情報提供ステップと、
提供した文字広告情報の情報量に応じて、文字広告の広告依頼者に対する文字広告料金の課金金額を算出する広告課金金額算出ステップと、
提供した文字広告情報が選択されたことを示す広告選択通知の通知回数に応じて、前記広告課金金額算出ステップによって算出された前記文字広告料金の課金金額について、前記サイトのサイト管理者、前記商品履歴情報提供者及び前記広告情報の情報管理者の配分を決定する料金配分決定ステップとを有する
ことを特徴とする商品情報提供方法。
【請求項８】
検索した文字広告情報を蓄積する文字広告情報蓄積ステップと、
消費者端末からの前記サイトを閲覧することを示す閲覧通知に応じて、文字広告情報蓄積ステップによって蓄積された文字広告情報を前記サイトのウェブページに貼り付けて前記消費者端末に提供する広告情報提供ステップとをさらに有する
ことを特徴とする請求項７記載の商品情報提供方法。
【請求項９】
前記広告情報提供ステップでは、前記サイトのウェブページに貼り付けられる前記文字広告情報の貼付順序を所定の条件に基づき変更することを特徴とする請求項８記載の商品情報提供方法。
【請求項１０】
算出された課金金額に応じて、前記ユーザ端末に対する前記アプリケーションソフトウェアの使用料金の課金金額を算出するアプリケーションソフトウェア課金金額算出ステップをさらに有する
ことを特徴とする請求項７〜９のいずれか１項記載の商品情報提供方法。
【請求項１１】
消費者が使用する消費者端末からの前記文字広告情報を選択したことを示す広告選択通知に応じて、前記消費者端末を特定する端末特定ステップと、
前記文字広告料金の少なくとも一部を、前記消費者端末が属するサービスを提供するサービス事業者のサービス事業範囲内で使用可能なクーポンのポイントに換算するポイント換算ステップと、
換算したポイントを前記消費者端末に通知するポイント通知ステップと、
換算したポイントを前記文字広告料金の課金金額として換算する課金金額換算ステップとをさらに有し、
前記料金配分決定ステップでは、前記課金金額換算ステップによって換算された課金金額及び前記課金金額算出ステップによって算出された課金金額の前記履歴情報提供者、前記検索エンジン開設者及び前記消費者の配分を決定することを特徴とする請求項７〜１０のいずれか１項記載の商品情報提供方法。
【請求項１２】
請求項１〜４に記載の商品情報提供システムを用い、
サイトを開設していない未開設ユーザが使用する未開設ユーザ端末のユーザ名や当該未開設ユーザが提供する商品の商品名などの前記未開設ユーザ端末に関する検索情報を検索処理サーバによって検索可能なサイトを生成するサイト生成サーバと、
生成されたサイトを商品情報提供サーバ及び検索処理サーバが属する商品情報提供システムに登録するサイト登録手段とを備えた
ことを特徴とするサーバシステム。
【発明の詳細な説明】
【技術分野】
【０００１】
本発明は、トレーサビリティコードを検索キーとする商品の履歴照会依頼に応じて、商品の履歴情報を提供する商品情報提供システム、商品情報提供サーバ、商品情報提供方法、及びサーバシステムに関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
しかしながら、上述した特許文献１に記載された従来のシステムでは、商品の生産・流通履歴が提供されるが、この商品の生産・流通履歴とともに付加的な情報を提供したり利用させたりすることができないため、依然としてシステムの有効活用が図りにくいという問題があった。
【０００６】
本発明は、上述した問題を解消し、システムの管理コストや管理負担を増大させることなく、商品の履歴情報を提供するとともに付加的な情報を提供したり利用させたりすることができる商品情報提供システム、商品情報提供サーバ、商品情報提供方法、及びサーバシステムを提供することを目的とする。
【課題を解決するための手段】
【０００７】
本発明の商品情報提供システムは、サイトを開設しているユーザが使用するユーザ端末からの依頼に応じて商品の履歴情報を提供する商品情報提供システムであって、商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索手段と、検索した履歴情報の検索結果に含まれる文字情報を検索キーワードとして決定する検索キーワード決定手段と、決定した検索キーワードに関連する文字広告情報の検索依頼を行う文字広告情報検索依頼手段と、前記検索依頼に応じて文字広告情報を検索エンジンを用いて検索する文字広告情報検索手段と、検索した文字広告情報を送信する文字広告情報送信手段と、送信された文字広告情報を受信する文字広告情報受信手段と、受信した文字広告情報を前記履歴情報の検索結果に貼り付けて前記ユーザ端末に対して提供する履歴情報提供手段と、提供した文字広告情報の情報量に応じて、文字広告の広告依頼者に対する文字広告料金の課金金額を算出する広告課金金額算出手段と、提供した文字広告情報が選択されたことを示す広告選択通知の通知回数に応じて、前記広告課金金額算出手段によって算出された前記文字広告料金の課金金額について、前記サイトのサイト管理者、前記商品履歴情報提供者及び前記広告情報の情報管理者の配分を決定する料金配分決定手段とを備えたことを特徴とする。
【０００８】
上記のように構成したことで、トレーサビリティシステムを管理する管理者の管理コストや管理負担を増大させることなく、商品の履歴情報とともに付加的な情報として広告情報を提供したり利用させたりすることができるようになる。
【０００９】
検索した文字広告情報を蓄積する文字広告情報蓄積手段と、消費者端末からのサイトを閲覧することを示す閲覧通知に応じて、文字広告情報蓄積手段によって蓄積された文字広告情報をサイトのウェブページに貼り付けて消費者端末に提供する広告情報提供手段とをさらに備えた構成とされていてもよい。
【００１０】
広告情報提供手段は、サイトのウェブページに貼り付けられる文字広告情報の貼付順序を所定の条件に基づき変更する構成とされていてもよい。
【００１１】
算出された課金金額に応じて、ユーザ端末に対するアプリケーションソフトウェアの使用料金の課金金額を算出するアプリケーションソフトウェア課金金額算出手段をさらに備えた構成とされていてもよい。
【００１２】
また、本発明の商品情報提供サーバは、サイトを開設しているユーザが使用するユーザ端末からの依頼に応じて商品の履歴情報を提供する商品情報提供サーバであって、商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索手段と、検索した履歴情報の検索結果に含まれる文字情報を検索キーワードとして決定する検索キーワード決定手段と、決定した検索キーワードに関連する文字広告情報の検索依頼を行う文字広告情報検索依頼手段と、前記検索依頼に応じて検索エンジンを用いて検索された文字広告情報を受信する文字広告情報受信手段と、受信した文字広告情報を前記履歴情報の検索結果に貼り付けて前記ユーザ端末に対して提供する履歴情報提供手段と、提供した文字広告情報の情報量に応じて、文字広告の広告依頼者に対する文字広告料金の課金金額を算出する広告課金金額算出手段と、提供した文字広告情報が選択されたことを示す広告選択通知の通知回数に応じて、前記広告課金金額算出手段によって算出された前記文字広告料金の課金金額について、前記サイトのサイト管理者、前記商品履歴情報提供者及び前記広告情報の情報管理者の配分を決定する料金配分決定手段とを備えたことを特徴とする。
【００１３】
さらに、本発明の商品情報提供方法は、サイトを開設しているユーザが使用するユーザ端末からの依頼に応じて商品の履歴情報を提供する商品情報提供方法であって、商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索ステップと、検索した履歴情報の検索結果に含まれる文字情報を検索キーワードとして決定する検索キーワード決定ステップと、決定した検索キーワードに関連する文字広告情報の検索依頼を行う文字広告情報検索依頼ステップと、前記検索依頼に応じて文字広告情報を検索エンジンを用いて検索する文字広告情報検索ステップと、検索した文字広告情報を送信する文字広告情報送信ステップと、送信された文字広告情報を受信する文字広告情報受信ステップと、受信した文字広告情報を前記履歴情報の検索結果に貼り付けて前記ユーザ端末に対して提供する履歴情報提供ステップと、提供した文字広告情報の情報量に応じて、文字広告の広告依頼者に対する文字広告料金の課金金額を算出する広告課金金額算出ステップと、提供した文字広告情報が選択されたことを示す広告選択通知の通知回数に応じて、前記広告課金金額算出ステップによって算出された前記文字広告料金の課金金額について、前記サイトのサイト管理者、前記商品履歴情報提供者及び前記広告情報の情報管理者の配分を決定する料金配分決定ステップとを有することを特徴とする。
【００１４】
消費者が使用する消費者端末からの文字広告情報を選択したことを示す広告選択通知に応じて、消費者端末を特定する端末特定ステップと、文字広告料金の少なくとも一部を、消費者端末が属するサービスを提供するサービス事業者のサービス事業範囲内で使用可能なクーポンのポイントに換算するポイント換算ステップと、換算したポイントを消費者端末に通知するポイント通知ステップと、換算したポイントを文字広告料金の課金金額として換算する課金金額換算ステップとをさらに有し、料金配分決定ステップでは、課金金額換算ステップによって換算された課金金額及び課金金額算出ステップによって算出された課金金額の履歴情報提供者、検索エンジン開設者及び消費者の配分を決定する構成とされてもよい。
【００１５】
さらに、本発明のサーバシステムは、上記商品情報提供システムを用い、サイトを開設していない未開設ユーザが使用する未開設ユーザ端末のユーザ名や当該未開設ユーザが提供する商品の商品名などの前記未開設ユーザ端末に関する検索情報を検索処理サーバによって検索可能なサイトを生成するサイト生成サーバと、生成されたサイトを商品情報提供サーバ及び検索処理サーバが属する商品情報提供システムに登録するサイト登録手段とを備えたことを特徴とする。
【発明の効果】
【００１６】
本発明によれば、トレーサビリティシステムを管理する管理者の管理コストや管理負担を増大させることなく、商品の履歴情報を提供するとともに付加的な情報を提供したり利用させたりすることができる。
【発明を実施するための最良の形態】
【００１７】
以下、本発明の一実施の形態について図面を参照して説明する。
図１は、本発明の一実施の形態における商品情報提供システム１００の構成の例を示すブロック図である。図１に示すように、商品情報提供システム１００は、商品情報提供サーバ１０と、検索処理サーバ２０と、ユーザ端末３０と、サイト管理サーバ５０と、消費者端末６０とを含む。
【００１８】
商品情報提供サーバ１０、検索処理サーバ２０、及びサイト管理サーバ５０は、それぞれ、例えばインターネットなどの通信ネットワーク４０に接続されている。また、商品情報提供サーバ１０、検索処理サーバ２０、及びサイト管理サーバ５０は、それぞれ、ＷＷＷサーバなどの情報処理装置によって構成される。
【００１９】
商品情報提供サーバ１０は、例えば商品情報提供システム１００のシステム管理者によって管理される本部サーバであり、トレーサビリティシステムにおける履歴情報の提供処理などの各種の処理を実行する。
【００２０】
商品情報提供サーバ１０は、各商品の履歴を示す商品履歴情報を格納する商品履歴情報ＤＢ１１を備えている。商品履歴情報は、商品の生産履歴や流通履歴を示す情報であって、例えば、商品分類、商品名、商品の生産者・製造者・販売元、商品の販売者・販売店、商品の生産日・製造日、商品の生産地・製造地などの各種の情報を含む。なお、商品履歴情報ＤＢ１１は、商品情報提供サーバ１０の内部にあっても外部にあってもよい。また、商品情報提供サーバ１０は、例えばユーザ端末３０に対して、商品の商品履歴情報の検索を行う際に使用されるアプリケーションソフトウェアを提供する。
【００２１】
検索処理サーバ２０は、例えば検索エンジンを利用可能なポータルサイトを運営するポータルサイト運営業者によって管理されるサーバ装置であり、検索エンジンによる検索処理に必要な検索情報を格納する検索情報ＤＢ２１を備えている。検索情報には、検索キーワードに基づき検索エンジンによって検索され得るウェブサイト（以下、単に「サイト」という。）情報や辞書情報、及び検索の際に参照される各サイトの閲覧数などの各種の情報を含む。本例では、検索処理サーバ２０によって検索され得る情報の少なくとも一部が、広告情報として利用される。すなわち、例えば検索情報の一部が、広告情報として利用される。広告情報は、商品履歴情報の検索結果に含まれる文字情報によって決定された検索キーワードに関連する各種の情報であって、例えば、その検索キーワードに関連した地域の広告や、その他関連した各種の広告、あるいはその広告が掲載されているサイトにアクセスするための情報（具体的には、ＵＲＬ）などを含む。なお、検索情報ＤＢ２１は、検索処理サーバ２０の内部にあっても外部にあってもよい。
【００２２】
ユーザ端末３０は、例えばパーソナルコンピュータや携帯情報端末などの情報処理装置によって構成され、通信ネットワーク４０に接続するためのソフトウェア及びハードウェアを含む環境を備えているものとする。なお、ここでは、ユーザ端末３０を使用するユーザは、企業や事業者などであって、特定のサイトを開設していることとする。
【００２３】
サイト管理サーバ５０は、ユーザ端末３０を使用するユーザが開設するホームページ（ＨＰ）やブログなどのウェブサイトのサイト管理者によって管理されるサーバ装置であり、ＨＰやブログの更新処理などの各種の処理を実行する。
【００２４】
消費者端末６０は、ユーザ端末３０と同様に、例えばパーソナルコンピュータや携帯情報端末などの情報処理装置によって構成され、通信ネットワーク４０に接続するためのソフトウェア及びハードウェアを含む環境を備えているものとする。なお、ここでは、消費者端末６０を使用する消費者は、一般消費者であることとする。
【００２５】
また、本例の商品情報提供システム１００は、消費者端末６０の他に、特定のサイトを開設していない未開設ユーザが使用する未開設ユーザ端末（図示せず）と、この未開設ユーザ端末のユーザ名や未開設ユーザが提供する商品の商品名などの未開設ユーザ端末に関する検索情報を検索処理サーバ２０によって検索可能なサイトを生成するサイト生成サーバ（図示せず）とを含んで構成されてもよい。
【００２６】
次に、本例の商品情報提供システム１００の動作について説明する。
ここでは、商品Ｘを購入した消費者Ｙが、ユーザ端末３０を利用して商品情報提供サーバ１０から提供されたアプリケーションソフトウェアを用いて商品Ｘの履歴照会を行う場合を例に説明することとし、本発明に特に関わる処理以外は、説明を省略している場合があるものとする。
【００２７】
図２及び図３は、本例の商品情報提供システム１００における商品情報（商品履歴情報、広告情報）提供処理の例を示すフローチャートである。商品情報提供処理において、先ず、ユーザ端末３０は、ユーザＹの操作に応じて商品情報提供サーバ１０にアクセスする（ステップＳ１０１）。
【００２８】
ステップＳ１０１では、例えば、商品Ｘを購入した店舗に付与されているＵＲＬ（Uniform Resource Locator）によりアクセスされる。なお、商品Ｘを製造している製造元などの他の組織や団体に付与されているＵＲＬによりアクセスされるようにしてもよい。
【００２９】
ユーザ端末３０からのアクセスがあると、商品情報提供サーバ１０は、商品に付与されているトレーサビリティコード（商品コード）を入力するためのコード入力画面を生成し、ユーザ端末３０に送信する（ステップＳ１０２）。
【００３０】
ユーザ端末３０は、商品情報提供サーバ１０からのコード入力画面を、自己が備える表示装置に表示する（ステップＳ１０３）。コード入力画面には、例えば図４に示すように、例えば店舗の名称などが表示された表示領域、トレーサビリティコードを入力するためのコード入力領域、コード入力領域に入力したトレーサビリティコードにより商品履歴情報の検索を行う際に押下される検索ボタンなどが設けられている。
【００３１】
コード入力画面が表示されると、ユーザＹは、ユーザ端末３０が備えるキーボードなどの入力装置を操作して、商品Ｘに付与されているトレーサビリティコードをコード入力領域に入力する。
【００３２】
そして、ユーザ端末３０は、検索ボタンの押下を受け付けると、ユーザＹによって入力された商品Ｘのトレーサビリティコードを商品情報提供サーバ１０に送信する（ステップＳ１０４）。
【００３３】
トレーサビリティコードを受信すると、商品情報提供サーバ１０は、商品履歴情報ＤＢ１１に格納されている商品履歴情報を参照し、受信したトレーサビリティコードを用いて、商品Ｘの商品履歴情報を検索する（ステップＳ１０５）。具体的には、商品履歴情報ＤＢ１１に格納されている商品履歴情報の中から、トレーサビリティコード（商品コード）に対応付けされている商品履歴情報を抽出する。
【００３４】
商品Ｘの商品履歴情報を検索すると、商品情報提供サーバ１０は、検索キーワードを決定する（ステップＳ１０６）。本例では、商品情報提供サーバ１０は、検索対象の商品である商品Ｘの名称や、商品Ｘに関係する関連ワードを抽出して、抽出したワードを検索キーワードとすることに決定する。この場合、商品履歴情報ＤＢ１１に格納されている検索キーワード決定用テーブルを用いて、受信した商品Ｘに係るトレーサビリティコードに対応付けされている商品名や関連ワードを抽出する。すなわち、検索キーワード決定用テーブルは、トレーサビリティコードと、そのトレーサビリティコードが示す商品についての検索キーワードとが対応付けされたテーブルである。なお、検索対象の商品である商品Ｘの履歴情報を検索キーワードに含めるようにしてもよい。
【００３５】
ステップＳ１０６では、例えば商品Ｘが豚肉であったとすると、例えば、その豚肉の商品名、その豚肉が含まれている料理メニュー、その豚肉を取り扱っている販売店名や飲食店名、その豚肉の生産地、その豚肉の生産者などの関連ワードのうち一部又は全部が検索キーワードとして抽出される。
【００３６】
検索キーワードを決定すると、商品情報提供サーバ１０は、決定した検索キーワードを提示して、検索処理サーバ２０に対して検索キーワードに関連付けられた文字広告情報の提供要求を行う（ステップＳ１０７）。
【００３７】
次いで、検索処理サーバ２０は、文字広告情報の提供要求に応じて、提示された検索キーワードを設定し、自己に搭載されている検索エンジンを用いて検索キーワードに関連付けられた文字広告情報を検索する（ステップＳ１０８）。具体的には、検索情報ＤＢ２１に格納されている検索情報の中から提示された検索キーワードに基づき検索エンジンを用いて検索した検索キーワードに関連付けられた情報を、文字広告情報として抽出する。ここでの検索処理は、いわゆるアンド検索であってもオア検索であってもよい。その後、検索処理サーバ２０は、検索した文字広告情報を商品情報提供サーバ１０に対して送信する（ステップＳ１０９）。
【００３８】
検索処理サーバ２０からの文字広告情報を受信すると、商品情報提供サーバ１０は、受信した文字広告情報を、検索した商品履歴情報の検索結果に貼り付けて、この検索結果を提示するための商品履歴情報閲覧画面を生成する（ステップＳ１１０）。そして、商品情報提供サーバ１０は、生成した商品履歴情報閲覧画面をユーザ端末３０に対して送信する（ステップＳ１１１）。
【００３９】
ユーザ端末３０は、商品情報提供サーバ１０からの商品履歴情報閲覧画面を、提供されたアプリケーションソフトウェアによって自己が備える表示装置に表示する（ステップＳ１１２）。商品履歴情報閲覧画面には、例えば図５に示すように、商品Ｘの商品履歴情報が表示された表示領域や、商品Ｘの商品履歴情報の閲覧の終了を選択するための商品履歴情報閲覧終了ボタン（「閲覧を終了する」と表示されているボタン）を表示する領域、及び貼り付けられた文字広告情報を表示する広告表示領域などが設けられている。この商品履歴情報閲覧画面は、例えばポータルサイトにおいて情報検索したときの検索結果画面と同様の情報が同様のレイアウトにて表示される画面である。
【００４０】
商品履歴情報閲覧画面が表示されると、ユーザＹは、商品履歴情報閲覧画面に表示されている商品履歴情報及び文字広告情報を閲覧するとともに、閲覧を終了したい場合には、ユーザ端末３０に備えられている入力装置を操作して商品履歴情報閲覧終了ボタンを押下する。商品履歴情報閲覧終了ボタンが押下されると（ステップＳ１１３のＹ）、ユーザ端末３０は、ここでの処理を終了する。このとき、商品情報提供サーバ１０に対して商品履歴情報の閲覧処理の完了を指示するための閲覧終了通知を行うようにしてもよい。
【００４１】
一方、検索処理サーバ２０は、ステップＳ１０９にて文字広告情報を商品情報提供サーバ１０に送信したら、検索した文字広告情報を検索情報ＤＢ２１に蓄積する（ステップＳ１１４）。蓄積した文字広告情報は、例えば、次のような場合に用いられる。すなわち、消費者端末６０は、一般消費者の操作に応じてユーザＹが開設するサイトを閲覧するためにサイト管理サーバ５０にアクセスする（ステップＳ１２０）。
【００４２】
消費者端末６０からのアクセスがあると、サイト管理サーバ５０は、ユーザＹが開設するサイトが閲覧されることを示す閲覧通知を検索処理サーバ２０に送信する（ステップＳ１２１）。
【００４３】
閲覧通知を受信すると、検索処理サーバ２０は、検索情報ＤＢ２１に格納されている蓄積した文字広告情報をユーザＹが開設するサイトのサイトページに貼り付けるために、サイト管理サーバ５０にサイトページ情報の送信を要求する（ステップＳ１１５）。
【００４４】
サイトページ情報の送信要求を受信すると、サイト管理サーバ５０は、検索処理サーバ２０にサイトページ情報を送信する（ステップＳ１２２）。サイトページ情報を受信すると、検索処理サーバ２０は、蓄積した文字広告情報をユーザＹが開設するサイト上で閲覧可能とするために、文字広告情報をサイトページ情報に貼り付ける（ステップＳ１１６）。このとき、検索処理サーバ２０は、所定の条件（例えば、検索ヒット率の上位など）に基づいて、貼り付けられる文字広告情報の貼付順序を自動的に変更するようにしてもよい。
【００４５】
文字広告情報を貼り付けたら、検索処理サーバ２０は、サイト管理サーバ５０に文字広告情報を貼り付けたサイトページ情報を送信する（ステップＳ１１７）。なお、このとき、検索処理サーバ２０は、送信したサイトページ情報に含まれる文字広告情報の情報量に関する通知を商品情報提供サーバ１０に送信するようにしてもよい。サイトページ情報を送信したら、検索処理サーバ２０は、ここでの処理を終了する。
【００４６】
サイトページ情報を受信すると、サイト管理サーバ５０は、ユーザＹが開設するサイトを表示するためのサイトページ画面を生成する（ステップＳ１２３）。そして、サイト管理サーバ５０は、生成したサイトページ画面を消費者端末６０に対して送信する（ステップＳ１２４）。サイトページ画面を送信したら、サイト管理サーバ５０は、ここでの処理を終了する。
【００４７】
消費者端末６０は、サイト管理サーバ５０からのサイトページ画面を、自己が備える表示装置に表示する（ステップＳ１２５）。サイトページ画面には、例えば図６に示すように、サイトのタイトル名称が表示された表示領域や、サイトの内容に関する記事を表示する領域、及び貼り付けられた文字広告情報を表示する広告表示領域などが設けられている。このサイトページ画面は、例えばウェブサイトにおいてウェブページを閲覧したときの表示画面と同様の情報が同様のレイアウトにて表示される画面である。
【００４８】
サイトページ画面が表示されると、一般消費者は、サイトページ画面に表示されている各種の情報及び文字広告情報を閲覧するとともに、閲覧を終了したい場合には、消費者端末６０に備えられているマウス等の入力装置を操作して、例えば、サイトページ画面の表示を終了する閉じるボタン（図示せず）を押下する。閉じるボタンが押下されると（ステップＳ１２６のＹ）、消費者端末６０は、ここでの処理を終了する。このとき、商品情報サイト管理サーバ５０及び提供サーバ１０に対してユーザＹが開設するサイトのサイトページの閲覧処理の完了を指示するための閲覧終了通知を行うようにしてもよい。
【００４９】
そして、商品情報提供サーバ１０は、商品履歴情報閲覧画面をユーザ端末３０に送信した後、例えば、商品履歴情報閲覧画面において提供した文字広告情報や、サイトページ画面において提供した文字広告情報の情報量に応じて、文字広告の広告依頼者に対する文字広告料金の課金金額を算出する（ステップＳ１１８）。具体的には、例えば、文字広告情報の情報単位数（すなわち、文字広告情報に用いられるファイル数）や、文字広告情報の内容に関する情報量（すなわち、文字広告情報を構成するデータ量）などの情報量に応じて課金金額を算出する。
【００５０】
文字広告料金の課金金額を算出したら、例えば、商品履歴情報閲覧画面において文字広告情報が選択されたことを示すユーザ端末３０からの広告選択通知の通知回数や、ユーザＹが開設するサイトのサイトページ情報に貼り付けられてサイトページ画面上に表示された文字広告情報が選択されたことを示す消費者端末６０からの広告選択通知の通知回数などに応じて、所定の配分条件などに基づき算出した課金金額によるサイトのサイト管理者、商品履歴情報提供者及び文字広告情報の情報管理者の文字広告料金の配分を決定する（ステップＳ１１９）。このとき、文字広告料金の配分は、これらの者の間であらかじめ取り決められた配分割合（例えば折半）などに基づいて決定されるようにすればよい。料金配分を決定したら、商品情報提供サーバ１０は、ここでの処理を終了する。
【００５１】
なお、商品情報提供サーバ１０は、ステップＳ１１８にて文字広告料金の課金金額を算出するとともに、例えば、ユーザ端末３０に対するアプリケーションソフトウェアの使用料金の課金金額を算出するようにしてもよい。この場合、文字広告料金の課金金額によって使用料金の課金金額を０にするなど、あらかじめ設定された算出基準などに基づいて算出処理を行うようにすればよい。
【００５２】
また、商品情報提供サーバ１０は、次のように課金金額を算出し、料金配分を決定するようにしてもよい。すなわち、商品情報提供サーバ１０は、一般消費者が使用する店舗などに設置された消費者端末６０からの文字広告情報を選択したことを示す広告選択通知に応じて、文字広告情報を選択した消費者端末６０を特定する。そして、文字広告料金の少なくとも一部を、消費者端末６０が属するサービスを提供するサービス事業者のサービス事業範囲内で使用可能なクーポンなどのポイントに換算する。
【００５３】
次に、換算したポイントを消費者端末６０に通知し、換算したポイントを文字広告料金の課金金額として換算する。なお、換算したポイントの消費者端末６０への通知は、例えば、特定された消費者端末６０から一般消費者の操作入力などによって商品情報提供サーバ１０に通知される一般消費者の個人カード情報やＩＤ情報などの識別情報に基づき、一般消費者が文字広告情報を閲覧するごとにその閲覧画面にポイント加算情報などのポイントを認識可能な情報を表示させるようにすればよい。最後に、換算された課金金額及びステップＳ１１８にて算出された課金金額の履歴情報提供者、検索エンジン開設者及び消費者の配分を決定する。このようにすれば、一般消費者にとっても文字広告情報を選択することでクーポンなどの利益を得ることができるので、文字広告情報を有効に利用することができるようになる。
【００５４】
また、ユーザＹが開設するサイトに掲載される文字広告情報の被選択の確率を高めるようにしたり、掲載期間を延長させるようにしたり、一定期間中の被選択回数を増加させるようにしたりすることに併せて、次のように構成してもよい。すなわち、未開設ユーザ端末からの文字広告情報の検索ヒット率を向上させるために、未開設ユーザ端末に関する検索情報（ユーザ名や商品名などの情報）を検索処理サーバ２０によって検索可能な新たなサイトをサイト生成サーバによって生成する。そして、例えば、生成した新たなサイトを、商品情報提供サーバ１０によって商品情報提供システム１００に登録する。このようにすれば、商品情報提供システム１００において、文字広告情報をより多く見ることができる機会を設けることになるので、文字広告情報のより有効な活用が可能となる。
【００５５】
以上に説明したように、上述した一実施の形態では、商品情報提供サーバ１０が、商品履歴情報提供者が提供するアプリケーションソフトウェアを用いて商品に付されているトレーサビリティコードを提示したユーザ端末３０からの履歴情報の取得依頼に応じて、そのトレーサビリティコードを用いて商品の履歴情報を検索し、検索した履歴情報の検索結果に含まれる文字情報を検索キーワードとして決定し、決定した検索キーワードに関連する文字広告情報の検索依頼を行い、その検索依頼に応じて検索エンジンを用いて検索された文字広告情報を受信し、受信した文字広告情報を履歴情報の検索結果に貼り付けてユーザ端末３０に対して提供し、提供した文字広告情報の情報量に応じて、文字広告の広告依頼者に対する文字広告料金の課金金額を算出し、提供した文字広告情報が選択されたことを示す広告選択通知の通知回数に応じて、算出された文字広告料金の課金金額について、ユーザが開設するサイトのサイト管理者、商品履歴情報提供者及び広告情報の情報管理者の配分を決定する構成としたことで、トレーサビリティシステムを管理する管理者の管理コストや管理負担を増大させることなく、商品の履歴情報を提供するとともに付加的な情報として広告情報を提供したり利用したりすることができるようになる。
【００５６】
すなわち、商品履歴情報の検索に伴う広告情報の掲載に関する処理を商品情報提供サーバ１０及び検索処理サーバ２０が実行することで、トレーサビリティシステム（具体的には商品情報提供サーバ１０）を管理する管理者は、広告情報の管理を行う必要がなく、さらに広告情報の管理のための設備構築やメンテナンスなどに関するコスト負担を負うことなく、付加的な情報としての広告情報を一般消費者に提供したり利用させたりすることが可能となる。
【００５７】
また、商品情報提供サーバ１０によるアプリケーションソフトウェアによって実現するユーザ端末３０に対する履歴情報の提供に際して、決定された検索キーワードに関連する文字広告情報を、履歴情報やサイト管理サーバ５０による消費者端末６０に対するサイトページ情報と併せて提供し、広告依頼者に文字広告料金を課す構成としているので、商品履歴情報を無料で提供することができるとともに、商品履歴情報の提供やユーザＹのサイトページ表示に関連して文字広告料金を得ることができるようになる。また、広告依頼者にとっては、ある程度の広告料金を負担することによって、ユーザＹが商品履歴情報を閲覧すればするほど、あるいは一般消費者がユーザＹのサイトを閲覧すればするほど履歴情報に関連付けられた自己の文字広告が検索処理サーバ２０の検索結果に多く掲載されるようになるというメリットがある。
【００５８】
また、上述した実施の形態では、商品情報提供サーバ１０によって算出された文字広告料金の課金金額について、所定の配分条件に従って、ユーザＹのサイトのサイト管理者、商品履歴情報提供者及び文字広告情報の情報管理者の配分を決定することで、得られた文字広告料金を自動的に分配することが可能となる。
【００５９】
また。上述した実施の形態では、商品情報提供サーバ１０と、検索処理サーバ２０とを別個のサーバとしていたが、商品情報提供サーバ１０と検索処理サーバ２０とが１つのサーバ装置によって構成されていてもよい。
【産業上の利用可能性】
【００６０】
本発明によれば、トレーサビリティシステムを管理する管理者の管理コストや管理負担を増大させることなく、商品の履歴情報を提供するとともに付加的な情報を提供したり利用させたりするのに有用である。
【図面の簡単な説明】
【００６１】
【図１】本発明の一実施の形態における商品情報提供システムの構成の例を示すブロック図である。
【図２】商品情報提供処理の例を示すフローチャートである。
【図３】商品情報提供処理の例を示すフローチャートである。
【図４】コード入力画面の例を示す説明図である。
【図５】商品履歴情報閲覧画面の例を示す説明図である。
【図６】サイトページ画面の例を示す説明図である。
【符号の説明】
【００６２】
１０        商品情報提供サーバ
１１        商品履歴情報ＤＢ
２０        検索処理サーバ
２１        検索情報ＤＢ
３０        ユーザ端末
５０        サイト管理サーバ
６０        消費者端末
１００      商品情報提供システム
【図１】
2007334840.tif 000003
【図２】
2007334840.tif 000004
【図３】
2007334840.tif 000005
【図４】
2007334840.tif 000006
【図５】
2007334840.tif 000007
【図６】
2007334840.tif 000008